(57)【要約】【課題】着用者が着用したままでも就寝などの動きを拘束することがなく、また着用者にとって着用時の心理的負担が生じず、更にはインナーとしての実施が可能であり、着用者に対する着替えなどにおいて好適に使用することもできるようにする。【解決手段】掴み帯部付き下衣は、ウエスト部２と左右一対の裾部３とを有して着用者Ｍの下半身に着用させる身頃本体５を備えており、身頃本体５の左右両側面には、長手方向を着用者Ｍの身丈方向へ沿わせた帯状の掴み帯部７が設けられ、掴み帯部７は、身頃本体５において少なくとも着用者Ｍの臀部Ｔを覆う部位を形成している身生地に比べて着用者Ｍの身丈方向に沿った伸縮性が低い低伸縮性の生地によって形成されている。【選択図】図１
2019060037.tif 000002
【特許請求の範囲】
【請求項１】
履き口を形成しているウエスト部と前記履き口に連通する裾口を形成している左右一対の裾部とを有して着用者の下半身に着用させる身頃本体を備えており、
前記身頃本体の左右両側面には、長手方向を着用者の身丈方向へ沿わせた帯状の掴み帯部が設けられ、
前記掴み帯部は、前記身頃本体において少なくとも着用者の臀部を覆う部位を形成している身生地に比べて着用者の身丈方向に沿った伸縮性が低い低伸縮性の生地によって形成されている
ことを特徴とする掴み帯部付き下衣。
【請求項２】
前記掴み帯部は、前記ウエスト部の下端から少なくとも着用者の上前腸骨棘に相当する部位まで達する長さで形成されていることを特徴とする請求項１記載の掴み帯部付き下衣。
【請求項３】
前記掴み帯部は、前記ウエスト部と前記裾部との間を接続していることを特徴とする請求項２記載の掴み帯部付き下衣。
【請求項４】
前記掴み帯部の下端部には、着用者の臀部に生じている２つの膨らみ下縁に沿うようにしつつ左右両外側から左右間中央へ向けて屈曲した後面持ち上げ部が設けられていることを特徴とする請求項３記載の掴み帯部付き下衣。
【請求項５】
前記身頃本体において少なくとも着用者の臀部を覆う部位を形成している身生地は伸縮性の編み生地であって、
前記掴み帯部は、前記編み生地とは異なる編組織を採用して形成されることによって前記身頃本体が一体成型構造を有していることを特徴とする請求項１乃至請求項４のいずれか１項に記載の掴み帯部付き下衣。
【請求項６】
前記掴み帯部の前隣及び／又は後隣には当該掴み帯部に沿って帯状を呈する緩和帯部が設けられており、
前記緩和帯部は、前記掴み帯部を形成している低伸縮性の生地に比べれば着用者の身丈方向に沿った伸縮性が高いが前記身頃本体に用いられたその他の身生地に比べて着用者の身丈方向に沿った伸縮性が低い中伸縮性生地により形成されていることを特徴とする請求項１乃至請求項５のいずれか１項に記載の掴み帯部付き下衣。
【請求項７】
前記身頃本体の前面中央部及び／又は後面中央部には、長手方向を着用者の身丈方向にして下端部を着用者の股間相当部位へ至らせた吊りベルト部が設けられていることを特徴とする請求項１乃至請求項６のいずれか１項に記載の掴み帯部付き下衣。
【請求項８】
前記身頃本体は、前記一対の裾部が着用者の大腿部上部に配置される長さに形成されたボクサータイプであることを特徴とする請求項１乃至請求項７のいずれか１項に記載の掴み帯部付き下衣。
【発明の詳細な説明】
【技術分野】
【０００１】
本発明は、掴み帯部付き下衣に関する。
【背景技術】
【０００２】
要介護者（介護される側）に対する介護では、要介護者をベッドや椅子等から立ち上がらせたり移動させたりする際の介護者（介護する側）の負担を軽減させるために、要介護者が着用するズボンなどの下衣に対して、ウエスト回りに沿う方向で半輪状に突出する把持部を設けることが提案されている（特許文献１等参照）。
従って、介護者は、この把手部を掴むことで要介護者に対する介護をやり易くなると説明されている。
【０００３】
一方、近年では、尿吸収パッドや成人用オムツなどに重ねて着用するためのオムツホルダーが提案されている(特許文献２参照)。このオムツホルダーでは、ホルダー内面（着用者の肌へ向ける面）に対して、要介護者の鼠蹊部に対応させるように弾性部材を設けると共に、この弾性部材のホルダー外に向かう上端部にループ状の取っ手部材を連結させている。
【０００４】
従って、要介護者がオムツホルダーを着用した後、介護者がこの取っ手部材を引っ張り上げるようにすることでホルダー内の尿パッド等の位置ズレを簡単に解消させることができると説明されている。
【先行技術文献】
【特許文献】
【０００５】
【特許文献１】特開２００７−２９７７４１号公報
【特許文献２】特開２０１３−２２０２２４号公報
【発明の概要】
【発明が解決しようとする課題】
【０００６】
従来、要介護者が着用する下衣において、介護者が把持することを主目的とした把持部や取っ手部材等（以下、「取っ手等」と言う）は、特許文献１や２により公知であった。しかし、これらの取っ手等は、下衣から大きく突出する状態で設けられていた。そのため、要介護者が寝転んで寝返りをした場合などは、要介護者の身体に取っ手等が食い込むようになって要介護者が痛がり、結果として要介護者は寝返りをできないことになる。すなわち、この種の下衣は、いずれも要介護者が寝るためには使用できないものあった。
【０００７】
また取っ手等は、非使用時でも常に下衣の外側へ向けて晒されているので、要介護者が要介護の立場にあることが周囲に一見して明らかになってしまうことから、要介護者にとって心理的な負担にもなっていた。
加えて、特許文献１に記載された取っ手等（把持部）では、要介護者の全体重を介護者が支えられるようにしてあるために、下衣に対する取付強度を強くする必要があり、これが要因となって、下衣は丈夫な生地より成るアウターへの取り付けが限定されることになる。すなわち、肌着などの軟らかい生地より成るインナーにおいて実施することはできないものであった。
【０００８】
また、特許文献２に記載された取っ手等（取っ手部材）では、要介護者が身につけたオムツの配置を介護者が調整しやすくするためのものであって、要介護者に対するオムツホルダーの着替えなどに使用することはできないものであった。
本発明は、上記事情に鑑みてなされたものであって、要介護者などの着用者が着用したままでも就寝などの動きを拘束することがなく、また着用者にとって着用時の心理的負担が生じず、更にはインナーとしての実施が可能であり、着用者に対する着替えなどにおいて好適に使用することもできるようにした掴み帯部付き下衣を提供することを目的とする。
【課題を解決するための手段】
【０００９】
前記目的を達成するために、本発明は次の手段を講じた。
即ち、本発明に係る掴み帯部付き下衣は、履き口を形成しているウエスト部と前記履き
口に連通する裾口を形成している左右一対の裾部とを有して着用者の下半身に着用させる身頃本体を備えており、前記身頃本体の左右両側面には、長手方向を着用者の身丈方向へ沿わせた帯状の掴み帯部が設けられ、前記掴み帯部は、前記身頃本体において少なくとも着用者の臀部を覆う部位を形成している身生地に比べて着用者の身丈方向に沿った伸縮性が低い低伸縮性の生地によって形成されていることを特徴とする。
【００１０】
前記掴み帯部は、前記ウエスト部の下端から少なくとも着用者の上前腸骨棘に相当する部位まで達する長さで形成されているものとしてもよい。
或いは、前記掴み帯部は、前記ウエスト部と前記裾部との間を接続しているものとしてもよい。
この場合、前記掴み帯部の下端部には、着用者の臀部に生じている２つの膨らみ下縁に沿うようにしつつ左右両外側から左右間中央へ向けて屈曲した後面持ち上げ部が設けられているものとするのが好適である。
【００１１】
前記身頃本体において少なくとも着用者の臀部を覆う部位を形成している身生地は伸縮性の編み生地であって、前記掴み帯部は、前記編み生地とは異なる編組織を採用して形成されることによって前記身頃本体が一体成型構造を有しているものとするのが好適である。
前記掴み帯部の前隣及び／又は後隣には当該掴み帯部に沿って帯状を呈する緩和帯部が設けられており、前記緩和帯部は、前記掴み帯部を形成している低伸縮性の生地に比べれば着用者の身丈方向に沿った伸縮性が高いが前記身頃本体に用いられた身生地に比べて着用者の身丈方向に沿った伸縮性が低い中伸縮性生地により形成されているものとしてもよい。
【００１２】
前記身頃本体の前面中央部及び／又は後面中央部には、長手方向を着用者の身丈方向にして下端部を着用者の股間相当部位へ至らせた吊りベルト部が設けられているものとするのが好適である。
前記身頃本体は、前記一対の裾部が着用者の大腿部上部に配置される長さに形成されたボクサータイプとすることができる。
【発明の効果】
【００１３】
本発明に係る掴み帯部付き下衣は、要介護者などの着用者が着用したままでも就寝などの動きを拘束することがなく、また着用者にとって着用時の心理的負担が生じず、更にはインナーとしての実施が可能であり、着用者に対する着替えなどにおいて好適に使用することもできる。
【図面の簡単な説明】
【００１４】
【図１】本発明に係る掴み帯部付き下衣の着用状態を示した斜視図である。
【図２】本発明に係る掴み帯部付き下衣の着用状態を示した正面図である。
【図３】本発明に係る掴み帯部付き下衣の着用状態を示した側面図である。
【図４】本発明に係る掴み帯部付き下衣の着用状態を示した背面図である。
【図５】本発明に係る掴み帯部付き下衣と着用者の上前腸骨棘との高さ方向の位置関係を説明した正面図である。
【図６】本発明に係る掴み帯部付き下衣と着用者の上前腸骨棘との周方向の位置関係を説明した平面図（図６の上が着用者の前）である。
【発明を実施するための形態】
【００１５】
以下、本発明の実施の形態を、図面に基づき説明する。
図１乃至図６は本発明に係る掴み帯部付き下衣（以下、「本発明下衣」と言う）１の一実施形態を示している。本発明下衣１は、要介護者（高齢者だけでなく障害者や病人、幼児などを含む広い意味において以下では「着用者Ｍ」と言う）の下半身に着用させるのに適した形体を有したもので、ウエスト部２と左右一対の裾部３とを有する身頃本体５を核として構成されている。
【００１６】
本実施形態で例示する身頃本体５は、一対の裾部３が着用者Ｍの大腿部Ｌの上部に配置される長さに形成されたボクサータイプとしてある。
また本実施形態で例示する本発明下衣１は、着用者Ｍの肌へ尿吸収パッド等（図示略）
を抑え付けるに際して、この尿吸収パッドを予め内張りしたうえで（身頃本体５において着用者Ｍの肌へ向けられる面に両面テープなどで尿吸収パッドを張り付けること）履くインナーである場合を例示してある。もちろん、尿吸収パッドやオムツを予め、着用者Ｍが肌側へ装着したうえで本発明下衣１を履くこともできる。インナーであるので、その上からアウターを着用する場合も当然にあり得る。
【００１７】
なお、裾部３の長さは本実施形態に限定されるものではなく適宜変更可能である。例えば、裾部３を着用者Ｍの鼠蹊部に沿わせて配置したブリーフタイプや、裾部３を膝上又は膝下に合わせて配置した半ズボン下タイプ、或いは裾部３を足首まで伸ばして配置した長ズボン下タイプなど、種々のタイプを採用することができる。
また本発明下衣１は、尿吸収パッド抑え付け用のインナーに限定されるものでもなく、例えば着用者Ｍの肌に直接触れる状態で着用する肌着として実施したり、尿吸収パッド一体型のパンツやオムツ自体として実施したりしてもよい。場合によっては、スポーツ用又はファッション用タイツなどを含むアウター（ズボン類）として実施してもよい。
【００１８】
ウエスト部２は、その内側に履き口（着用者Ｍの腰回りを通すための開口）を形成したものである。本実施形態はボクサーパンツタイプとしたので、ウエスト部２は、着用者Ｍの腰回り方向に緊締力を生じるように編成した編組織（ゴム編等）を採用したり、ウエストゴム等を組み込んだ構造を採用したりして形成されている。必要に応じて腰紐や腰ベルト等を取り付けたものとしてもよい。
【００１９】
また左右の裾部３は、それらの内側に裾口（着用者Ｍの脚を通すための開口）を形成したものであって、当然ながら各裾口は相互連通し、また身頃本体５内を介してウエスト部２の履き口にも連通するようになっている。これら左右の裾部３についても、着用者Ｍの脚回り方向に緊締力を生じる編組織を採用したり、ウエストゴム等を組み込んだ構造を採用したりして形成されている。
【００２０】
次に、本発明下衣１の全体構成を概説する。
本発明下衣１において、身頃本体５を形成している身生地は、その全体が成型構造（丸編機や横編機等を用いた筒編みを基本形とする一体構造）を有した編み生地によって形成されている。
殊に、少なくとも着用者Ｍの臀部Ｔを覆う身生地は、平編やゴム編などの編組織によって形成されており、尿吸収パッドを内張りした状態でも身頃本体５を履きやすくし、且つそれでいて着用した後には確実な尿吸収パッドの抑え込み（位置ズレ防止）が図れるように、豊富な伸縮性を備えたものとなっている。
【００２１】
このように、豊富な伸縮性を備えた部位（着用者Ｍの臀部Ｔを覆う身生地など）を、以下では「身生地特定部位」と言う。
そして、本発明下衣１では、身頃本体５の左右両側面に対して、長手方向を着用者Ｍの身丈方向へ沿わせた帯状の掴み帯部７が設けられている。
本実施形態では、掴み帯部７の前隣に、掴み帯部７に沿って帯状を呈する緩和帯部８（以下、「前側緩和帯部８」と言う）が設けられていると共に、掴み帯部７の後隣には、掴み帯部７に沿って帯状を呈する緩和帯部９（以下、「後側緩和帯部９」と言う）が設けられたものとしてある。
【００２２】
図２に示すように、左右の前側緩和帯部８は、身頃本体５の正面部をウエスト部２下端に沿うように接触しつつ、着用者Ｍの腰回り方向に逆台形状を呈して設けられる前面連結部１０により、上端部間（前側）が連結されている。
図４に示すように、左右の後側緩和帯部９は、身頃本体５の背面部をウエスト部２下端に沿うように接触しつつ、着用者Ｍの腰回り方向に太さ一定で設けられる緩和帯連結部１１により、上端部間（後側）が連結されている。
【００２３】
また、前側緩和帯部８の更に前隣には、前側緩和帯部８に沿って帯状を呈する第二緩和帯部１４（以下、「前側第二緩和帯部１４」と言う）が設けられていると共に、後側緩和帯部９の更に後隣には、後側緩和帯部９に沿って帯状を呈する第二緩和帯部１５（以下、「後側第二緩和帯部１５」と言う）が設けられている。
図２に示すように、左右の前側第二緩和帯部１４には、身頃本体５の正面部を裾部３上
端に沿うように接触しつつ、下端部から着用者Ｍの脚回り方向に徐々に細くなりながら伸び出す前面持ち上げ部１６が設けられている。
【００２４】
図４に示すように、左右の後側第二緩和帯部１５は、身頃本体５の背面部を緩和帯連結部１１の下端に沿うように接触しつつ、着用者Ｍの腰回り方向に太さ一定で設けられる第二緩和帯連結部１７により、上端部間（後側）が連結されている。
一方、左右の裾部３間には、着用者Ｍの股間相当部位を左右方向へ連結するようにした股マチ１８が設けられている。この股マチ１８を設けることで、左右の裾部３の動きの自由度を広げられることは周知であるが、本実施形態では、股マチ１８の中央部に前後方向へ通り抜ける配置として、編組織を異ならせたマチ補強帯１９が設けられたものとしてある。
【００２５】
そして、身頃本体５の前面中央部には、長手方向を着用者Ｍの身丈方向に向け、且つ下端部を着用者Ｍの股間相当部位（股マチ１８のマチ補強帯１９）へ至らせると共に、上端部を前面連結部１０の下縁に突き当てた吊りベルト部２０（以下、「前側吊りベルト部２０」と言う）が設けられている。
また、身頃本体５の後面中央部には、長手方向を着用者Ｍの身丈方向に向け、且つ下端部を着用者Ｍの股間相当部位（股マチ１８のマチ補強帯１９）へ至らせると共に、上端部を第二緩和帯連結部１７と一体的に接合させた吊りベルト部２１（以下、「後側吊りベルト部２１」と言う）が設けられている。
【００２６】
次に、本発明下衣１の各部構成とそれらの作用効果を説明する。
掴み帯部７は、本発明下衣１を着用者Ｍに履かせる際に、当該部位（掴み帯部７）を介護者、或いは着用者Ｍが自ら掴んで、本発明下衣１を引き上げるようにするための部位である。そのため、この掴み帯部７には、本発明下衣１を引き上げる際に破れが生じないことはもとより、過剰な伸びを防ぐ作用が必要になる。この理由から、この掴み帯部７は、低伸縮性の生地によって形成されている。
【００２７】
ここにおいて「低伸縮性の生地」とは、身頃本体５のうち、身生地特定部位（前記のように着用者Ｍの臀部Ｔを覆う部位などに採用される豊富な伸縮性を備えた部位）の伸縮性を基準にして、この身生地特定部位よりも着用者Ｍの身丈方向に沿う方向において伸縮性が低いものであると定義する。
すなわち、身生地特定部位は、着用時の動き易さを邪魔しないだけの伸縮性を確保する必要があるだけでなく、本発明下衣１を履いたり脱いだりする際には、臀部Ｔの膨らみ等を容易に乗り越えさせる必要がある。ましてや尿吸収パッドを内張りしているときであればこの尿吸収パッドの厚みをも加味して臀部Ｔの膨らみ等を容易に乗り越えさせる必要があり、尿吸収パッドが尿を吸収して膨張するときを想定してこれを許容するゆとりも必要となる。
【００２８】
このように身生地特定部位には、種々様々な状況を考慮することによって適正な伸縮性の範囲は自ずと定まっている。しかし、身生地特定部位では、本発明下衣１を引き上げる際に要求される破れ難さや過剰な伸びの抑制は出来ない。従って、この身生地特定部位を基準にして設定される掴み帯部７の低伸縮性については、わざわざ具体的数値を挙げずとも技術的に明確となり得る。なお、本発明において「低伸縮性の生地」には、非伸縮性の生地を含めるものとする。
【００２９】
本実施形態では身頃本体５の全体として成型構造を採用しているため、この掴み帯部７は、身生地の他の部位を形成している生地（身生地特定部位など）とは異なる編組織を採用して形成しており、従って、身生地の他の部位との間に接着箇所や縫製箇所等は生じていない。
例えば、身生地特定部位などを形成している身生地を平編とした場合に、掴み帯部７は５回ウエルトと１回ニットを身丈方向へ繰り返したものを採用するといった具合である。使用する糸には、ウレタンを芯としナイロンをカバーとするＳＣＹと綿糸とを用いることができ、この場合は、ＳＣＹが裏面（着用者Ｍの肌側へ向けられる面）に現れ、綿糸が表面に現れるようにプレーティング編することを挙例できる。
【００３０】
言うまでもなく、ウエルト数などの具体的数値は何ら限定されるものではない。また平
編以外の編み組織（ゴム編など）を採用してもよい。使用する糸もＤＣＹやベヤ糸など特に限定されるものではない。
なお、掴み帯部７において、着用者Ｍの腰回り方向については身生地の他の部位（身生地特定部位など）と同じように伸縮性を有したものとするのが好適であり、そのために前記の例では掴み帯部７に採用する編組織として平編を採用したものである。これにより、尿吸収パッドを内張りした後においても、本発明下衣１を履いたり脱いだりすることが容易となり、また着用時の動き易さを邪魔することがないようにできる。
【００３１】
ただ、このように編組織の変更によって掴み帯部７を形成することは限定されない。例えば、身生地に対して、掴み帯部７を配置すべき位置に樹脂等を含浸又は塗布させることで、伸縮性を低下乃至ゼロにさせ、これによって掴み帯部７を形成させてもよい。樹脂等の含浸や塗布に代えて、該当領域に縫製を行ってもよい（別布を張り合わせてもよいが伸び難い糸を縫い付けるだけでもよい）。もとより、低伸縮性の別素材（樹脂シートや生地など）を少なくとも上下両端固定の状態で取り付けるようにしてもよい。
【００３２】
このような掴み帯部７は、図５に示すように、身頃本体５におけるウエスト部２の下端から着用者Ｍの上前腸骨棘Ｑに相当する部位まで達する長さｈを確保するのが好適とされる。この長さｈを確保することで、必然的に介護者や着用者Ｍ自身が本発明下衣１を掴み易く、また本発明下衣１を上げ下げし易い配置となる。場合によっては掴み帯部７は、その上端部をウエスト部２の下端とは非接触にすることも可能である。
【００３３】
ここにおいて、「上前腸骨棘Ｑ」は、骨盤において左右の位置で前方へ突出した骨であって、ズボンなどの下衣を着用する際には腰ベルトのずり落ちを防ぐためによく利用されている部位を言う。
ただ、掴み帯部７は長くするほど高い効果を期待できる。そのため掴み帯部７は、ウエスト部２と裾部３との間を接続する長さを有したものとするのが一層よい。
【００３４】
なお、掴み帯部７の下端部を裾部３まで延ばす場合において、この掴み帯部７の下端部には、着用者Ｍの臀部Ｔ（特に図４を参照）に生じている２つの膨らみ下縁に沿うようにしつつ、左右両外側から左右間中央へ向けて屈曲した後面持ち上げ部２５を設けるのが好ましいとされる。
このような後面持ち上げ部２５を設けることで、本発明下衣１を着用者Ｍに履かせる際に、裾部３をしっかりと上方へ追従させ、臀部Ｔの膨らみ下縁にフィットさせることができるようになる。また着用後においても、臀部Ｔや尿吸収パッドに対して、より一層確実なホールド効果が得られて尿吸収パッドの位置ズレやずり落ち等を確実に防止できる利点が得られる。
【００３５】
一方、身頃本体５において、掴み帯部７を設けるべき周方向の配置は、着用者Ｍの左右両側とするのを原則としたうえで、好ましくは図６に示すように、着用者Ｍの上前腸骨棘Ｑに相当させて、その前方を覆う（前方からの投影面内で重なる）ような配置とするのが好適である（上前腸骨棘Ｑの前方から外れるような配置とすることを排除するものではない）。
【００３６】
このような配置とすることで、介護者や着用者Ｍ自らが本発明下衣１を引き上げるに際して、着用者Ｍの上前腸骨棘Ｑを乗り越えさせるときなどに頗る好都合となる。
前側緩和帯部８及び後側緩和帯部９は、掴み帯部７を形成している低伸縮性の生地に比べれば伸縮性が高いが、身頃本体５に用いられたその他の身生地（前記した身生地特定部位など）に比べて伸縮性が低い中伸縮性生地により形成されている。
【００３７】
前側緩和帯部８と後側緩和帯部９とが、互いに同じ生地により形成されることは必ずしも必要ではない。また前側緩和帯部８を省略したり、後側緩和帯部９を省略したり、前側緩和帯部８及び後側緩和帯部９の両方を省略したりすることも可能である。
前側第二緩和帯部１４及び後側第二緩和帯部１５は、前側緩和帯部８や後側緩和帯部９を形成している中伸縮性生地に比べれば伸縮性が高いが、身頃本体５に用いられたその他の身生地（前記した身生地特定部位など）に比べて伸縮性が低い高伸縮性生地により形成されている。
【００３８】
前側第二緩和帯部１４と後側第二緩和帯部１５とが、互いに同じ生地により形成される
ことは必ずしも必要ではない。また前側第二緩和帯部１４を省略したり、後側第二緩和帯部１５を省略したり、前側第二緩和帯部１４及び後側第二緩和帯部１５の両方を省略したりすることも可能である。
これら前側緩和帯部８及び後側緩和帯部９や、前側第二緩和帯部１４及び後側第二緩和帯部１５の配置は、掴み帯部７を基準にその前後に並行するように配置されるものであり、着用者Ｍとの位置関係は掴み帯部７を基準に自ずと設定されることになる。
【００３９】
このような前側緩和帯部８及び後側緩和帯部９や、前側第二緩和帯部１４及び後側第二緩和帯部１５を設けることで、掴み帯部７から身生地特定部位へ向けて低伸縮性が徐々に緩和されるようになる（伸びやすい生地配置となっている）ので、身頃本体５の全体として捻れや皺の発生を防止できる利点がある。
また外観的に各部のつなぎ目が不鮮明となるので、周囲から強い違和感を受け難くなっている。そのため、着用者Ｍにとって、尿吸収パッドを使用していることなどを悟られるおそれが少なくなり、心理的な負担も軽減される。
【００４０】
掴み帯部７の下端部に後面持ち上げ部２５を設ける場合には、後側緩和帯部９や後側第二緩和帯部１５の下端部にも同様の屈曲部を設けるのが好適である。
これらにより、後面持ち上げ部２５によりもたらされる作用効果、すなわち、本発明下衣１を着用者Ｍに履かせる際に、裾部３をしっかりと上方へ引き上げることができる作用効果をはじめ、着用後に尿吸収パッドの位置ズレやずり落ち等を防止できる作用効果は、一層、有効性を増すことになる。また、臀部Ｔの膨らみを綺麗なシルエットとして保持できる効果もある。
【００４１】
前面連結部１０は、左右の掴み帯部７を上方へ引き上げた際に、身頃本体５の前面中央部でウエスト部２が下方へ大きく撓むことがないようにする作用を期待したところである。また同時に、この撓み防止作用が得られることを基礎にして、前側吊りベルト部２０と股マチ１８のマチ補強帯１９と後側吊りベルト部２１の三者によって身頃本体５の全体を吊り上げようとするのを支える作用をも含ませてある。この際、介護者が前面連結部１０を掴むようにすることで、前側吊りベルト部２０とマチ補強帯１９と後側吊りベルト部２１の三者を引き上げ易くする作用も期待される。
【００４２】
これらの理由から、この前面連結部１０は、前記した身生地特定部位に比べて伸縮性が低い生地によって形成されている。
なお、この前面連結部１０をどの程度、伸縮性の低いものにするかは厳密に規定されるものではない。従って、掴み帯部７、前後の緩和帯部８，９、前後の第二緩和帯部１４，１１のいずれかと同じ生地により形成することができるし、それ以外の素材により形成することもできる。
【００４３】
前側吊りベルト部２０、マチ補強帯１９及び後側吊りベルト部２１による一連に連結された三者は、前記したように身頃本体５の全体に対して吊り上げ作用を生じさせるところである
殊に、後側吊りベルト部２１を設けていることは、着用者Ｍの臀部Ｔについて二つの膨らみを明確に区画してその全体的なシルエットを綺麗に見せ掛けることができるという利点をも有している。
【００４４】
これらの理由から、これら前側吊りベルト部２０、マチ補強帯１９、後側吊りベルト部２１の三者についても、前記した身生地特定部位に比べて伸縮性が低い生地によって形成されている。
なお、これら前側吊りベルト部２０、マチ補強帯１９、後側吊りベルト部２１の三者をどの程度、伸縮性の低いものにするかは厳密に規定されるものではない。従って、掴み帯部７、前後の緩和帯部８，９、前後の第二緩和帯部１４，１１のいずれかと同じ生地により形成することができるし、それ以外の素材により形成することもできる。ただ、三者間では伸縮性を揃えるように同じ素材を選択するのが好適である。
【００４５】
次に、本発明下衣１を、介護者により着用者Ｍに履かせる場合を説明する。
まず介護者は、身頃本体５のウエスト部２及び左右の裾部３を着用者Ｍの脚へ通す。そして、図２乃至図４に示すように、介護者は左手で正面向かって左側の掴み帯部７を把持
すると共に、右手で正面向かって右側の掴み帯部７を把持して、身頃本体５を着用者Ｍの脚に沿って引き上げる。
【００４６】
この身頃本体５の引き上げは、ウエスト部２が二点鎖線で示すように適正な着用位置（着用者Ｍの上前腸骨棘Ｑのすぐ上あたり）を超えて、それより高い位置まで到達するように掴み帯部７を引き上げて、股マチ１８が着用者Ｍの股間に当接することを確認する必要がある。
この際、前側吊りベルト部２０、マチ補強帯１９及び後側吊りベルト部２１が一連に連結されて着用者Ｍの股間を前後に通過するようになっていることが、股マチ１８の吊り上げ作用を集中させるので、身頃本体５に対して仮に尿吸収パッドが内張りされていたとしても、この尿吸収パッドを着用者Ｍの股間に当接させることが容易且つ確実に行えるものとなる。
【００４７】
必要に応じて、介護者は前面連結部１０を掴んで前側吊りベルト部２０、マチ補強帯１９及び後側吊りベルト部２１の三者を引き上げるようにしてもよい。
また、このとき掴み帯部７は、最も短い長さで形成されていたとしても（図５の長さｈのときでも）、着用者Ｍの上前腸骨棘Ｑに相当する部位を超えることができるように設定してあるので、介護者は着用者Ｍの上前腸骨棘Ｑを超える位置を把持することができるようになる。
【００４８】
勿論、掴み帯部７は、破れることなく、また過剰な伸びも生じないので、身頃本体５の引き上げは容易且つ確実に行えるものとなる。
介護者は、股マチ１８が着用者Ｍの股間に当接することを確認した後、左右の掴み帯部７を離して、ウエスト部２を適正な着用位置へ揃えるようにすればよい。
以上、詳説したところから明らかなように、本発明下衣１は、取っ手等が突出したものではないので、着用者Ｍ（要介護者）が着用したままでも就寝などの動きが拘束されることはない。また、取っ手等が突出していないので、仮に尿吸収パッドなどを使用していたとしてもそのことを周囲からは知られ難くなっており、着用者Ｍにとって着用時の心理的負担が生じない。
【００４９】
更に、取っ手等が突出していないのでインナーとしての実施が可能である。
仮に尿吸収パッドなどを使用する場合であっても、掴み帯部７を把持することで着用者Ｍに履かせたり脱がせたりの着替えが至極容易に行えるものである。
ところで、本発明は、前記実施形態に限定されるものではなく、実施の形態に応じて適宜変更可能である。
【００５０】
本発明下衣１は、要は、身頃本体５の左右両側面に低伸長性の素材により形成された掴み帯部７が設けられていることを技術的思想の基本原理とするものであり、前後の緩和帯部８，９をはじめ、前後の吊りベルト部２０，２１などについては、適宜省略することも可能である。
従って例えば、身頃本体５は織地のカットソーにより形成されたものとしてもよい。
【００５１】
なお、言うまでもなく、本発明下衣１は、着用者Ｍが自ら履いたり脱いだりする際にも掴み帯部７を有効に活用できるものであり、介護者による取り扱いが限定されるものではない。
【符号の説明】
【００５２】
１  掴み帯部付き下衣（本発明下衣）
２  ウエスト部
３  裾部
５  身頃本体
７  掴み帯部
８  緩和帯部（前側緩和帯部）
９   緩和帯部（後側緩和帯部）
１０  前面連結部
１１  緩和帯連結部
１４  第二緩和帯部（前側第二緩和帯部）
１５  第二緩和帯部（後側第二緩和帯部）
１６  前面持ち上げ部
１７  第二緩和帯連結部
１８  股マチ
１９  マチ補強帯
２０  吊りベルト部（前側吊りベルト部）
２１  吊りベルト部（後側吊りベルト部）
２５  後面持ち上げ部
Ｌ  大腿部
Ｍ  着用者
Ｑ  上前腸骨棘
Ｔ  臀部
【図１】
2019060037.tif 000003
【図２】
2019060037.tif 000004
【図３】
2019060037.tif 000005
【図４】
2019060037.tif 000006
【図５】
2019060037.tif 000007
【図６】
2019060037.tif 000008